(57)【要約】  本発明はディスペンサーポンプボタンのノズル構造に関するもので、本発明によるディスペンサーポンプボタンのノズル構造は、内容物の圧力によって排出孔が形成された外部ノズルが前方に移動し、内部ノズルとの離間空間を通じて内容物が排出されるように構造を設計することによって、ノズルの変形を防止することができ、これによって、化粧品容器の内部に空気が流入されることを遮断して、内容物が変質されることを防止することができるディスペンサーポンプボタンのノズル構造に関する。  【選択図】図１
2014509990.tif 000002
【特許請求の範囲】
【請求項１】
ディスペンサーポンプボタン（１０）の排出部（１１）に結合されて、内容物を外部に排出するノズル構造において、
前記排出部（１１）に結合される円筒状に形成され、後面部の端部に所定間隔に離間された複数の内容物流入孔（１２０）が形成され、
後面部の端部中央部から前方に遮断棒（１３０）が突出して形成される内部ノズル（１００）と；
前記遮断棒（１３０）を囲んで結合されて前進または後進し、前記内部ノズル（１００）の内側端部に載置される載置部（２１０）と、前記載置部（２１０）の中央部から前方に延長されて、内容物が移動する通路を形成し、その端部に前記遮断棒（１３０）によって開閉される排出孔（２２１）が形成される内容物移動管（２２０）とで構成される外部ノズル（２００）と；
前記外部ノズル（２００）を囲んで結合されて、外部ノズル（２００）を後進させる弾性体（３００）と；
前記内部ノズル（１００）の内側で前記外部ノズル（２００）を囲んで結合され、内側方向に前記弾性体（３００）が載置される弾性体載置段差部（４２０）が形成されて、前記弾性体（３００）の一側を固定させる弾性体固定部（４００）と；を含むことを特徴とするディスペンサーポンプボタンのノズル構造。
【請求項２】
前記載置部（２１０）には前記弾性体（３００）を支持するように所定間隔に離間された複数の弾性体支持部（２１１）が形成されることを特徴とする請求項１に記載のディスペンサーポンプボタンのノズル構造。
【請求項３】
前記内部ノズル（１００）の外周面には前記排出部（１１）に固定される結合突起（１５０）が形成され、内周面には前記弾性体固定部（４００）が結合される結合溝（１４０）が形成されることを特徴とする請求項１に記載のディスペンサーポンプボタンのノズル構造。
【請求項４】
前記弾性体固定部（４００）には前記結合溝（１４０）に対応する結合突起（４１０）が形成されることを特徴とする請求項３に記載のディスペンサーポンプボタンのノズル構造。
【請求項５】
前記内部ノズル（１００）、外部ノズル（２００）、弾性体（３００）及び弾性体固定部（４００）は一体にモジュール化されて、内部ノズル（１００）の結合突起（１５０）を通じて排出部（１１）に形成される結合溝（１２）に結合されることを特徴とする請求項３に記載のディスペンサーポンプボタンのノズル構造。
【請求項６】
ディスペンサーポンプボタン（１０）の排出部（１１）に結合されて、内容物を外部に排出するノズル構造において、
前記排出部（１１）に結合される円筒状に形成され、後面部の端部に所定間隔に離間された複数の内容物流入孔（５１０）が形成され、後面部の端部中央部から前方に遮断棒（５２０）が突出して形成される内部ノズル（５００）と；
前記遮断棒（５２０）を囲んで結合されて前進または後進し、前記内部ノズル（５００）の内側端部に載置されて、先端部（ｘ）と端部（ｙ）が弾性体固定部（８００）の内側壁面に当接するピストン構造に形成される円筒状の載置部（６１０）と、前記載置部（６１０）の前面部の中央から前方に延長されて、内容物が移動する通路を形成し、その端部に前記遮断棒（５２０）によって開閉される排出孔（６２１）が形成される内容物移動管（６２０）とで構成される外部ノズル（６００）と；
前記外部ノズル（６００）を囲んで載置部（６１０）に載置されて、外部ノズル（６００）を後進させる弾性体（７００）と；
前記外部ノズル（６００）及び弾性体（７００）を囲んで結合され、前面部には内側方向に前記弾性体（７００）が載置される弾性体載置段差部（８１０）が形成され、後面部には前記内部ノズル（５００）の内側に結合される結合部（８２０）が形成される弾性体固定部（８００）と；を含むことを特徴とするディスペンサーポンプボタンのノズル構造。
【請求項７】
前記内部ノズル（５００）の内周面には前記弾性体固定部（８００）が固定される結合溝（５３０）が形成され、前記弾性体固定部（８００）には前記結合溝（５３０）に結合される結合突起（８２１）が形成されることを特徴とする請求項１に記載のディスペンサーポンプボタンのノズル構造。
【請求項８】
前記遮断棒（５２０）の端部には前記外部ノズル（６００）の外部に突出される突出部（５２１）が形成されることを特徴とする請求項１に記載のディスペンサーポンプボタンのノズル構造。
【発明の詳細な説明】
【技術分野】
【０００１】
本発明はディスペンサーポンプボタンのノズル構造に関するもので、さらに詳しくは、内容物の圧力によって排出孔が形成された外部ノズルが前方に移動し、内部ノズルとの離間空間を通じて内容物が排出されるように構造を設計することによって、ノズルの変形を防止することができ、これによって、化粧品容器の内部に空気が流入されることを遮断して、内容物が変質されることを防止することができるディスペンサーポンプボタンのノズル構造に関する。
【背景技術】
【０００２】
一般的に、ディスペンサー（Ｄｉｓｐｅｎｓｅｒ）とは、気体や液体またはその他の内容物が充填された密閉容器の上側に結合されて、加圧によってその内部の内容物を所定量ずつ噴出させて使うようにする装置で、化粧品や香水または医薬品や食品などを保存する各種密閉容器に適用される。上記のようなディスペンサーの上部には使用者が手で押して上記ディスペンサーを加圧するためのボタンが形成される。
【０００３】
上記のようなディスペンサー用ボタンには内容物を外部に排出させるためのノズルが備えられる。以下では、韓国登録実用新案第２０−０４１８９５４号を参照して従来のディスペンサー用ボタンのノズル構造を説明する。
【０００４】
上記韓国登録実用新案第２０−０３８４８９９号は、排出ポンプの押しボタンを押すと、押圧される内容物の排出圧力によって、切開して形成されたノズルの吐出口が開かれながら内容物が排出されるように構成された化粧品排出ポンプにおいて、上記ノズル２２の内部に密閉軸３０をさらに設置して、吐出口４１を安定的に遮断することができるようにすることを特徴とする。
【０００５】
しかし、上記のような従来のディスペンサー用ボタンのノズル構造は、密閉軸３０とゴム管４０が固定された状態で、内容物の圧力によって吐出口４１が開かれながら内容物が排出されるように構成されたため、持続的に使用する場合、吐出口４１が変形されて、吐出口４１を通じて化粧品容器の内部に空気が流入されて、内容物が変質されるという問題点があった。
【発明の概要】
【発明が解決しようとする課題】
【０００６】
本発明は上述した問題点を解決するために案出されたもので、本発明の目的は、内容物の圧力を通じて排出孔が形成された外部ノズルが前方に移動し、内部ノズルとの離間空間を通じて内容物が排出されるように構造を設計することによって、ノズルの変形を防止することができ、これによって、化粧品容器の内部に空気が流入されることを遮断して、内容物が変質されることを防止することができるディスペンサーポンプボタンのノズル構造を提供することにある。
【課題を解決するための手段】
【０００７】
上記のような問題点を解決するために、本発明の好ましい実施例によるディスペンサーポンプボタンのノズル構造は、ディスペンサーポンプボタン１０の排出部１１に結合されて、内容物を外部に排出するノズル構造において、上記排出部１１に結合される円筒状に形成され、後面部の端部に所定間隔に離間された複数の内容物流入孔１２０が形成され、後面部の端部中央部から前方に遮断棒１３０が突出して形成される内部ノズル１００と；上記遮断棒１３０を囲んで結合されて、前進または後進し、上記内部ノズル１００の内側端部に載置される載置部２１０と、上記載置部２１０の中央部から前方に延長されて、内容物が移動する通路を形成し、その端部に上記遮断棒１３０によって開閉される排出孔２２１が形成される内容物移動管２２０とで構成される外部ノズル２００と；上記外部ノズル２００を囲んで結合されて、外部ノズル２００を後進させる弾性体３００と；上記内部ノズル１００の内側で上記外部ノズル２００を囲んで結合され、内側方向に上記弾性体３００が載置される弾性体載置段差部４２０が形成され、上記弾性体３００の一側を固定させる弾性体固定部４００と；を含むことを特徴とする。
【０００８】
また、上記載置部２１０には上記弾性体３００を支持するように所定間隔に離間された複数の弾性体支持部２１１が形成されることを特徴とする。
【０００９】
また、上記内部ノズル１００の外周面には上記排出部１１に固定される結合突起１５０が形成され、内周面には上記弾性体固定部４００が結合される結合溝１４０が形成されることを特徴とする。
【００１０】
また、上記弾性体固定部４００には上記結合溝１４０に対応する結合突起４１０が形成されることを特徴とする。
【００１１】
また、上記内部ノズル１００、外部ノズル２００、弾性体３００及び弾性体固定部４００は一体にモジュール化されて、内部ノズル１００の結合突起１５０を通じて排出部１１に形成される結合溝１２に結合されることを特徴とする。
【００１２】
一方、本発明のまた他の実施例によるディスペンサーポンプボタンのノズル構造は、ディスペンサーポンプボタン１０の排出部１１に結合されて、内容物を外部に排出するノズル構造において、上記排出部１１に結合される円筒状に形成され、後面部の端部に所定間隔に離間された複数の内容物流入孔５１０が形成され、後面部の端部の中央部から前方に遮断棒５２０が突出して形成される内部ノズル５００と；上記遮断棒５２０を囲んで結合されて、前進または後進し、上記内部ノズル５００の内側端部に載置され、先端部ｘと端部ｙが弾性体固定部８００の内側壁面に当接するピストン構造に形成される円筒状の載置部６１０と、上記載置部６１０の前面部中央から前方に延長されて、内容物が移動する通路を形成し、その端部に上記遮断棒５２０によって開閉される排出孔６２１が形成される内容物移動管６２０とで構成される外部ノズル６００と；上記外部ノズル６００を囲んで載置部６１０に載置されて、外部ノズル６００を後進させる弾性体７００と；上記外部ノズル６００及び弾性体７００を囲んで結合され、前面部には内側方向に上記弾性体７００が載置される弾性体載置段差部８１０が形成され、後面部には上記内部ノズル５００の内側に結合される結合部８２０が形成される弾性体固定部８００と；を含むことを特徴とする。
【００１３】
また、上記内部ノズル５００の内周面には上記弾性体固定部８００が固定される結合溝５３０が形成され、上記弾性体固定部８００には上記結合溝５３０に結合される結合突起８２１が形成されることを特徴とする。
【００１４】
また、上記遮断棒５２０の端部には上記外部ノズル６００の外部に突出される突出部５２１が形成されることを特徴とする。
【発明の効果】
【００１５】
上述したように、本発明によれば、内容物の圧力によって排出孔が形成された外部ノズルが前方に移動して、内部ノズルとの離間空間を通じて内容物が排出されるように構造を設計することによって、ノズルの変形を防止することができ、これによって、化粧品容器の内部に空気が流入されることを遮断して、内容物が変質されることを防止することができるという長所がある。
【００１６】
また、ボタンに簡単に着脱可能にノズルをモジュール化して設計することによって、多様なボタンのデザインに適用することができ、生産過程において、ノズル部分のみを組み立て及び検査して、不良率を低下することができて、生産性を向上させることができるという長所がある。
【図面の簡単な説明】
【００１７】
【図１】本発明の好ましい実施例によるディスペンサーポンプボタンのノズルの構成を示す断面図である。
【図２】本発明の好ましい実施例によるディスペンサーポンプボタンのノズル構造の内部ノズルの構成を示す斜視図である。
【図３】本発明の好ましい実施例によるディスペンサーポンプボタンのノズル構造の外部ノズルの構成を示す斜視図である。
【図４】本発明の好ましい実施例によるディスペンサーポンプボタンのノズルがボタンに結合された状態を示す分解断面図である。
【図５】本発明の好ましい実施例によるディスペンサーポンプボタンのノズルの作動過程を示す状態図である。
【図６】本発明のまた他の実施例によるディスペンサーポンプボタンのノズルがボタンに結合された状態を示す断面図である。
【図７】本発明のまた他の実施例によるディスペンサーポンプボタンのノズルがボタンに結合された状態を示す分解断面図である。
【図８】本発明のまた他の実施例によるディスペンサーポンプボタンのノズル構造の構成を示す分解斜視図である。
【図９】本発明のまた他の実施例によるディスペンサーポンプボタンのノズルの作動過程を示す状態図である。
【発明を実施するための形態】
【００１８】
以下、図面を参照して本発明を詳しく説明する。各図面に提示された同一符号は同一部材を表す。
【００１９】
図１は本発明の好ましい実施例によるディスペンサーポンプボタンのノズルの構成を示す断面図であり、図２は本発明の好ましい実施例によるディスペンサーポンプボタンのノズル構造の内部ノズルの構成を示す斜視図であり、図３は本発明の好ましい実施例によるディスペンサーポンプボタンのノズル構造の外部ノズルの構成を示す斜視図である。
【００２０】
図４は本発明の好ましい実施例によるディスペンサーポンプボタンのノズルがボタンに結合された状態を示す分解断面図であり、図５は本発明の好ましい実施例によるディスペンサーポンプボタンのノズルの作動過程を示す状態図である。
【００２１】
図１〜５によれば、本発明の好ましい実施例によるディスペンサーポンプボタンのノズル構造は、内部ノズル１００、外部ノズル２００、弾性体３００及び弾性体固定部４００が含まれる。
【００２２】
上記内部ノズル１００はディスペンサーポンプボタン１０の排出部１１に結合される円筒状に形成されるもので、上記排出部１１を通じて排出される内容物が流入できるように後面部の端部の内周面で中央部へ所定間隔に離間された複数の延長部１１０が内容物流入孔１２０を形成して延長される。
【００２３】
上記内部ノズル１００には上記複数の延長部１１０が当接する中央部から前方に突出して形成される遮断棒１３０が備えられて、後述する外部ノズル２００の前進または後進によって排出孔２２１を開閉する。
【００２４】
本発明において、上記内部ノズル１００の外周面には排出部１１に固定されることができるように結合突起１５０が形成されることが特徴であり、上記結合突起１５０を通じて簡単に排出部１１に組み立てられる。この時、上記排出部１１の内周面には上記結合突起１５０との結合が可能になるように結合溝１２が形成されることが好ましい。
【００２５】
一方、上記内部ノズル１００の内周面には後述する弾性体固定部４００が結合されることができるように結合溝１４０が形成される。
【００２６】
上記外部ノズル２００は上記遮断棒１３０を囲んで上記内部ノズル１００の内部に結合されて、内容物ａの圧力または弾性体３００の弾性力によって、前進または後進するもので、上記内部ノズル１００の内側端部に載置される載置部２１０と、上記載置部２１０の中央部から延長されて、内容物ａが移動する通路を形成する内容物移動管２２０とで構成される。
【００２７】
上記載置部２１０は、後述する弾性体３００の弾性力によって、外部ノズル２００の後進時に、上記内部ノズル１００の内側端部に載置されて、外部ノズル２００の後進時の移動範囲を限定し、載置部２１０には後述する弾性体３００を支持することができるように所定間隔に離間された複数の弾性体支持部２１１が形成されることが好ましい。
【００２８】
上記内容物移動管２２０は上記内部ノズル１００の内容物流入孔１２０を通じて流入された内容物ａが移動できるように通路を形成するもので、流入された内容物ａが外部に排出されることができるように、その端部に上記遮断棒１３０によって開閉される排出孔２２１が形成される。
【００２９】
上記弾性体３００は上記外部ノズル２００を囲んで結合されて、外部ノズル２００を後進させるもので、一側は外部ノズル２００の弾性体支持部２１１に載置され、他側は後述する弾性体固定部４００の弾性体載置段差部４２０に載置される。
【００３０】
上記弾性体３００は、ボタン１０の加圧時に、内容物ａの圧力によって前進する外部ノズル２００の移動によって収縮し、ボタン１０の加圧が解除されると弛緩されて、外部ノズル２００に弾性力を提供して外部ノズル２００を後進させる。
【００３１】
上記弾性体固定部４００は上記内部ノズル１００の内側で上記外部ノズル２００を囲んで結合されて、上記弾性体３００を固定させるもので、上記弾性体３００を固定することができるように、内側方向に折曲される弾性体載置段差部４２０が形成される。
【００３２】
上記弾性体載置段差部４２０は、外部ノズル２００の前進時に、弾性体３００の一側を支持して弾性体３００が収縮できるようにする。
【００３３】
一方、上記弾性体固定部４００には上記内部ノズル１００との結合が可能になるように、上記結合溝１４０に対応する結合突起４１０が形成されることが好ましい。
【００３４】
上述したように、本発明のノズルは、内部ノズル１００の内周面に形成された結合溝１４０と弾性体固定部４００の外周面に形成された結合突起４１０とを通じて、内部ノズル１００と弾性体固定部４００との結合が行われ、これによって、内部ノズル１００、外部ノズル２００、弾性体３００及び弾性体固定部４００を一体にモジュール化することができることを特徴とする。
【００３５】
本発明のノズルは、内部ノズル１００の外周面に形成された結合突起１５０を通じてディスペンサーポンプボタン１０の排出部１１に形成された結合溝１２に簡単に結合できるようにノズルをモジュール化して設計することによって、多様なボタンのデザインに適用することができ、生産過程において、ノズル部分のみを組み立て及び検査して、不良率を低下することができて、生産性を向上させることができる。
【００３６】
以下では、図５を参照して本発明の好ましい実施例によるディスペンサーポンプボタンのノズルの作動過程を説明する。
【００３７】
図５によれば、本発明の好ましい実施例によるディスペンサーポンプボタンのノズルの作動過程は、まず、使用者がボタン１０を加圧すると、排出部１１を通じて内容物ａが排出される。この時、内容物流入孔１２０を通じて外部ノズル２００の内容物移動管２２０に内容物ａが流入される。
【００３８】
上記のように、内容物移動管２２０に内容物ａが流入される過程で、移動する内容物ａによって外部ノズル２００に圧力が加えられ、内容物ａの圧力によって外部ノズル２００が前方に移動する。外部ノズル２００が前方に移動すると、内部ノズル１００の遮断棒１３０によって閉鎖されていた排出孔２２１が開放され、これによって、排出孔２２１を通じて外部に内容物ａが排出される。
【００３９】
一方、使用者がボタン１０の加圧を解除すると、内容物ａの移動が止められる。この時、上記外部ノズル２００の前進によって収縮された弾性体３００が原位置に復元され、外部ノズル２００に弾性力を提供して、外部ノズル２００を後進させる。外部ノズル２００が後進すると、上記内部ノズル１００の遮断棒１３０によって排出孔２２１が閉鎖されて、内容物ａが排出されることを遮断する。
【００４０】
以下では、図６〜９を参照して本発明のまた他の実施例によるディスペンサーポンプボタンのノズル構造を説明する。
【００４１】
図６は本発明のまた他の実施例によるディスペンサーポンプボタンのノズルがボタンに結合された状態を示す断面図であり、図７は本発明のまた他の実施例によるディスペンサーポンプボタンのノズルがボタンに結合された状態を示す分解断面図である。
【００４２】
図８は本発明のまた他の実施例によるディスペンサーポンプボタンのノズル構造の構成を示す分解斜視図であり、図９は本発明のまた他の実施例によるディスペンサーポンプボタンのノズルの作動過程を示す状態図である。
【００４３】
図６〜９によれば、本発明のまた他の実施例によるディスペンサーポンプボタンのノズル構造は、内部ノズル５００、外部ノズル６００、弾性体７００及び弾性体固定部８００が含まれる。
【００４４】
上記内部ノズル５００はディスペンサーポンプボタン１０の排出部１１に結合される円筒状に構成され、上記排出部１１を通じて排出される内容物が流入できるように、後面部の端部に所定間隔に離間された複数の内容物流入孔５１０が形成される。
【００４５】
上記内部ノズル５００には後面部の端部中央部から前方に突出して形成される遮断棒５２０が備えられて、後述する外部ノズル６００の前進または後進によって排出孔６２１を開閉する。この時、上記遮断棒５２０の端部には遮断棒５２０と外部ノズル６００が形成する空間に内容物が固着されることを防止するように、外部ノズル６００の外部に突出する突出部５２１が形成されることが好ましい。
【００４６】
上記遮断棒５２０には上記突出部５２１が形成されることによって、外部でノズルの動きによるノズル開閉を容易に識別することができる。
【００４７】
本発明において、上記内部ノズル５００の内周面には後述する弾性体固定部８００が固定されることができるように、結合溝５３０が形成されることを特徴とし、上記結合溝５３０には弾性体固定部８００の結合突起８２１が結合されて、弾性体固定部８００との結合が行われる。
【００４８】
上記外部ノズル６００は上記遮断棒５２０を囲んで結合されて、内容物ａの圧力または弾性体７００の弾性力によって前進または後進するもので、載置部６１０と内容物移動管６２０とを含む。
【００４９】
上記載置部６１０は上記内部ノズル５００の内側端部に載置されて、後述する弾性体７００を支持するもので、前面部に後述する弾性体７００が載置されて、内容物の排出の時には、弾性体７００を加圧して弾性体７００を収縮させ、内容物の排出が終わると、弾性体７００の弾性力によって外部ノズル６００を後方に移動させる。
【００５０】
本発明において、上記載置部６１０は円筒状に構成され、先端部ｘと端部ｙが弾性体固定部８００の内側壁面に当接するピストン構造に形成されることを特徴とし、これによって、外部ノズル６００の搖れを防止して、内容物が一定に排出されることを可能にし、内容物の漏れを遮断することができる。
【００５１】
上記内容物移動管６２０は上記載置部６１０の前面部の中央から前方に延長されて、上記内部ノズル５００の内容物流入孔５１０を通じて流入された内容物ａが移動できるように通路を形成するもので、流入された内容物ａが外部に排出されることができるように、その端部に上記遮断棒５２０によって開閉される排出孔６２１が形成される。
【００５２】
上記弾性体７００は上記外部ノズル６００を囲んで結合されて、外部ノズル６００を後進させるもので、一側は外部ノズル６００の載置部６１０に載置され、他側は後述する弾性体固定部８００の弾性体載置段差部８１０に載置される。
【００５３】
上記弾性体７００は、ボタン１０の加圧時に、内容物ａの圧力によって前進する外部ノズル６００の移動によって収縮し、ボタン１０の加圧が解除されると弛緩されて、外部ノズル６００に弾性力を提供して外部ノズル６００を後進させる。
【００５４】
上記弾性体固定部８００は上記外部ノズル６００及び弾性体７００を囲んで結合されて、上記弾性体７００を固定するもので、上記弾性体７００を固定することができるように、内側方向に折曲される弾性体載置段差部８１０が形成される。
【００５５】
上記弾性体載置段差部８１０は、外部ノズル６００の前進時に、弾性体７００の一側を支持して弾性体７００が収縮できるようにする。
【００５６】
一方、上記弾性体固定部８００の後面部には上記内部ノズル５００の内側に結合される結合部８２０が形成されることを特徴とし、上記結合部８２０には上記内部ノズル５００と結合できるように、上記結合溝５３０に対応する結合突起８２１が形成されることが好ましい。
【００５７】
また、上記弾性体固定部８００の外周面には結合溝１２に結合される結合突起８３０が形成されることを特徴とし、上記結合突起８３０を通じてディスペンサーポンプボタン１０の排出部１１に形成された結合溝１２に簡単に結合できるようにノズルをモジュール化して設計することによって、多様なボタンのデザインに適用可能であり、生産過程において、ノズル部分のみを組み立て及び検査して、不良率を低下することができて、生産性を向上させることができる。
【００５８】
上述したように、本発明のノズルは、内部ノズル５００の内周面に形成された結合溝５３０と弾性体固定部８００の外周面に形成された結合突起８２１とを通じて、内部ノズル５００と弾性体固定部８００との結合が行われ、これによって、内部ノズル５００、外部ノズル６００、弾性体７００及び弾性体固定部８００を一体にモジュール化することが可能であることを特徴とする。
【００５９】
以下では、図９を参照して本発明のまた他の実施例によるディスペンサーポンプボタンのノズルの作動過程を説明する。
【００６０】
図９によれば、本発明のまた他の実施例によるディスペンサーポンプボタンのノズルの作動過程は、まず、使用者がボタン１０を加圧すると、排出部１１を通じて内容物ａが排出される。この時、内容物流入孔５１０を通じて外部ノズル６００の内容物移動管６２０に内容物ａが流入される。
【００６１】
上記のように、内容物移動管６２０に内容物ａが流入される過程で、移動する内容物ａによって、外部ノズル６００に圧力が加えられ、内容物ａの圧力によって外部ノズル６００が前方に移動する。外部ノズル６００が前方に移動すると、内部ノズル５００の遮断棒５２０によって閉鎖されていた排出孔６２１が開放され、これによって、排出孔６２１を通じて外部に内容物ａが排出される。
【００６２】
一方、使用者がボタン１０の加圧を解除すると、内容物ａの移動が止められる。この時、上記外部ノズル６００の前進によって収縮された弾性体７００が原位置に復元され、外部ノズル６００に弾性力が提供されて、外部ノズル６００を後進させる。外部ノズル６００が後進すると、上記内部ノズル５００の遮断棒５２０によって排出孔６２１が閉鎖されて、内容物ａが排出されることを遮断する。
【００６３】
図面と明細書に最適な実施例が開示された。ここで特定用語が用いられたが、これは本発明を説明するための目的で用いられたものであって、意味の限定や特許請求の範囲に記載された本発明の範囲を制限するために用いられたのではない。そこで、本技術分野における通常の知識を有する者であれば、これから多様な変形及び均等な他の実施例が可能であることを理解すべきである。従って、本発明の真の技術的保護範囲は添付された特許請求の範囲の技術的思想によって定められるべきである。
【図１】
2014509990.tif 000003
【図２】
2014509990.tif 000004
【図３】
2014509990.tif 000005
【図４】
2014509990.tif 000006
【図５】
2014509990.tif 000007
【図６】
2014509990.tif 000008
【図７】
2014509990.tif 000009
【図８】
2014509990.tif 000010
【図９】
2014509990.tif 000011
【国際調査報告】
2014509990.tif 000012
2014509990.tif 000013
2014509990.tif 000014
2014509990.tif 000015